Podtech/llm-jp-corpus-v4-ja_patent huggingface dataset:
(57)【要約】      （修正有）【課題】医療において喘息などの問題を解決する。【解決手段】人工物／人工エンティティーによって自然物／自然エンティティーを、サポートする。パワー・バランス・マネージメント、パワー・マネージメント。インターネット／コミュニケーションの利用による医療データのサポートをスピーディにする。【選択図】図１
2008043699.tif 000002
【特許請求の範囲】
【請求項１】
明細書により、示唆される、システム。
【請求項２】
明細書により、示唆される、医療・システム。
【請求項３】
明細書により、示唆される、ビジネス・システム。
【発明の詳細な説明】
【技術分野】
【０００１】  診断、治療、手術、医療における技術分野
【背景技術】
【０００２】ヒーリング、手術、治療オペレーション
【発明の開示】
【発明が解決しようとする課題】
【０００３】医療において、喘息などの問題解決。
【課題を解決するための手段】
【０００４】  エネルギーを利用して、バイオシステムとアーティフィシャル・バイオシステムを融合する新しい医療。  エネルギー医療を使い、環境のクリーニング、適宜な環境の設定、部分的／全体的環境の創造、人工的組織の製作、人工的な／自然なバイオ・サポーティング・システム。ＬＳＩ／コンピューター／バイオコンピューターを使い、適宜に体／ボディーの組織をコントロールする。ナノ・ユニット／ＤＮＡ／ＲＮＡ／酵素／たんぱく質／バイオ・ユニット／コンピューター／人工物によって、組織／体の機能を交換／組み換え／サポート／改善することが出来る。セルフォーン／インターネット／コミュニケーションを通して、国際的に医療データーのサポートをスピーディーにする。吉野  友子の健康を維持するように努力する。
【発明の効果】
【０００５】人工素子／組織を量産できると考えられる。緊急のときに、必要なユニットを提供できるときもある。
【発明の実施する最良の形態】
【０００６】  ＣＣＤ／ＣＭＯＳ／インプット・カメラ、インプット・ビデオ・カメラで、目の代用をさせる。  人工筋肉、人工コントローラー、人工バッテリーの適宜な組み合わせによって、人工心臓を作る。  人工肺、空気清浄機、マイナスイオン、ヒカリ触媒、エアクリーナー、エアマネージャーを使って、呼吸をとても容易にする。例えば、酸素が多くある部屋で、休憩したりする。例として、酸素吸入、栄養補給による、健康の改善をする。  神経回路を操作することによって、必要な人工神経回路の製作をする。人工的・知能の改善をする。
【０００７】  アーティフィシャル・バイオシステムとその適宜な組み合わせをバイオシステムの適宜なところに、組み込む。
【図面の簡単な説明】
【０００８】
【図１】太陽電池の例。バイオシステムは、太陽からのエネルギー、宇宙のエントロピーを利用して、機能することが多い。人工的にエネルギーの補給をする必要があるが、太陽電池やバッテリー、熱発電、バイオ発電、イオン発電、血流発電といったの、アーティフィシャル・バイオシステムに応用できる。例として色素増感型太陽電池、ＡＬのコンビネーションにおいて、低コストエネルギー補強が出来る。ナノ・マテリアルの利用。アシメトリーを利用したシステム。光合成、イオン電池も似たような原理。グレーディエントを利用したシステム。
【図２】光合成、Ｃ６０、Ｃ７０、カーボンナノチューブ、有機ポリマーの太陽電池。
【図３】海水を利用して、エネルギー補給をするとしたら、アシメトリーを利用する。ビジネス濃度、イオン濃度、仕事関数、仕事関数濃度、濃度、ヒカリの利用。シリコン型太陽電池とバッテリーは、似たような原理。評価関数、評価関数濃度。
【図４】バイオ的に／人工的に、水電池／固体／液体／ガス／バッテリー／マテリアルを使ったエネルギーによって、バイオモーターを作る原理図。物質の固有振動数を使ったモーター。静電気を使ったマイクロモーター。ミニチュア・マグネットを使ったモーター。超音波モーター。マイクロモーター。ナノ・モーター。
【図５】マテリアル・アシメトリー、仕事関数のアシメトリー、仕事関数の非対称性の原理的な説明。
【図６】神経コントロールの例。ナノプロペラマシン・ナノモーターの例。ナノ・ロータリー・モーター。プロトン・グレーディエント／グレーディエントを利用したナノ・マシン。繊細な端子を利用した脳のシグナル・コントロール。
【図７】ファン、フィルム、シートを利用した、酸素濃度、二酸化炭素濃度のグレーディエントを利用した人工肺／人工酸素マシン／人工空気クリーナー。人工ミトコンドリア／人工ＴＣＡ回路を利用した人工メタボリズム。
【図８】人工サポート型組織。アーティフィシャル・バイオ・サポーティング・システム。ナチュラリー・アーティフィシャル・サポーティング・システム。吉野  信の言う「自然は、神。Ｎａｔｕｒｅ  ｉｓ  Ｄｉｖｉｎｅ」を利用したシステム。
【図９】人工筋肉、圧電素子を利用した人工心臓。
【図１０】ナノ・カプセル、薬、ＤＮＡ、ＲＮＡ、ＳＮＰ、ＣＮＰ、ナノマテリアル、マテリアル、システム、アルゴリズムを利用した治療。
【図１１】人工の瞳。
【図１２】吉野  信の写真集を世界中の人に見てもらうためのシステム。インターナショナル・インターネット／コミュニケーションの発展をするビジネスモデル。
【図１３】バイオ・システム・アーキテクチャー。リアル・ワールド・アプリケーション。
【図１４】理論・方程式・ぐん・解析。
【図１】
2008043699.tif 000003
【図２】
2008043699.tif 000004
【図３】
2008043699.tif 000005
【図４】
2008043699.tif 000006
【図５】
2008043699.tif 000007
【図６】
2008043699.tif 000008
【図７】
2008043699.tif 000009
【図８】
2008043699.tif 000010
【図９】
2008043699.tif 000011
【図１０】
2008043699.tif 000012
【図１１】
2008043699.tif 000013
【図１２】
2008043699.tif 000014
【図１３】
2008043699.tif 000015
【図１４】
2008043699.tif 000016
(57)【要約】【課題】網戸掃除を簡単に楽に行う為の網戸掃除具を提供する。【解決手段】スポンジ等の多孔性吸水材からなる、既成の掃除機の吸込み口に装着可能な、中空軸と任意形状の受け板を紐体で連結したことを特徴とする網戸掃除具。【選択図】図１
2008043700.tif 000002
【特許請求の範囲】
【請求項１】
スポンジ等の多孔性吸水材からなる、既成の掃除機の吸込み口に装着可能な、中空軸と任意形状の受け板を紐体で連結したことを特徴とする網戸掃除具。
【発明の詳細な説明】
【技術分類】
【０００１】本発明は、網戸掃除を簡単に行う為の網戸掃除具に関するものである。
【背景技術】
【０００２】従来、網戸掃除専用の掃除道具は無かった。
【発明の開示】
【発明が解決しようとする課題】
【０００３】  そのために次のような問題点があった。
網戸掃除をする際に網戸に絡みついたホコリや汚れを取りやすくする為に、網戸の裏側に新聞紙などを当てがいホコリや汚れを取りやすく工夫をし、手間がかかっていた。
本発明は、以上の問題点を解決するためになされたものである。
【課題を解決するための手段】
【０００４】  スポンジ等の多孔性吸水材からなる、既成の掃除機の吸込み口に装着可能な、中空軸と任意形状の受け板を紐体で連結した。以上を特徴とする網戸掃除具である。
【発明の効果】
【０００５】  本発明は、網戸掃除の際に網戸の裏側に新聞紙などを当てる手間やわずらわしさが無く、ホコリ取りと汚れ拭きを同時に出来る。
【発明を実施するための最良の形態】
【０００６】以下、本発明の実施の形態について説明する。
（イ）空洞のある中空軸（１）と受け板（２）を紐体（３）でつなぐ。
本発明は以上のような構造で、これを使用するときは中空軸（１）を掃除機（４）の吸い込み口（５）に差込み、受け板（２）は網戸（６）の裏側にあてがい、掃除機（４）でその部分を吸い込む。受け板（２）は掃除機（４）の吸引力で網戸（６）に張り付き、掃除機（４）の吸い込み口（５）を動かすと一緒に動きながら汚れを拭き、網戸（５）のホコリやゴミを掃除機で吸い取り易くする働きもする。掃除機（４）のスイッチを切る際に、吸引力が無くなって網戸（６）から受け板（２）がはがれても、紐体（３）でつながっているので外に落ちる事は無い。
【図面の簡単な説明】
【０００７】
【図１】本発明の斜視図
【図２】本発明の円形スポンジを掃除機の差込口に取り付けた図
【図３】本発明の使用図
【符号の説明】
【０００８】    １  中空軸
２  受け板
３  紐体
４  掃除機
５  吸い込み口
６  網戸
【図１】
2008043700.tif 000003
【図２】
2008043700.tif 000004
【図３】
2008043700.tif 000005
(57)【要約】【課題】  足裏や足側のツボを押したり、靴中の蒸れを防止するための足用健康器具を提供することを目的とする。【解決手段】  スポンジ状またはボール状の弾性体からなる足用健康器具。【選択図】なし【特許請求の範囲】
【請求項１】
スポンジ状またはボール状の弾性体からなる足用健康器具。
【請求項２】
弾性体の形状が、球形、ゴルフボール形、楕円形、六角柱形、四角柱形、五角柱形、海鞘形、多面コブ形である請求項１記載の足用健康器具。
【発明の詳細な説明】
【技術分野】
【０００１】  本発明は、足の裏側および側面等のマッサージ効果等を有する足用健康器具に関する。
【背景技術】
【０００２】  従来、足裏用マッサージの履物として、足裏に接する面を凹凸状にしたものが市販されている、しかしながら、従来の足裏用サンダルは、長時間履いていると足裏が痛くなり使用に耐えなくなる欠点があった。またジャリ道のように路面が凹凸状の場合も足への刺激が強すぎて歩行が困難であった。
すなわち、本発明は、スポンジ状の弾性体からなる足用健康器具である。
【発明の開示】
【発明が解決しようとする課題】
【０００３】  そこで本発明者は、靴、スリッパ、サンダル、靴下、足袋などを履いた場合のいずれの場合にも使用し得る汎用性の高い足用健康器具について種々検討を重ねた結果、本発明を完成するに至った。
すなわち本発明は、スポンジ状またはボール状の弾性体からなる足用健康器具である。
【発明の効果】
【０００４】  本発明の足用健康器具を足裏あるいは足側に置いた状体で歩行することによって弾性体が収縮作用と膨張作用とを繰り返すために、足裏あるいは足側を指圧することにより体が温まると共に、足裏あるいは足側にある体の部位のツボを刺激するので疾病の予防および治療が好適に行われる。また、足裏に入れた場合スポンジ状の弾性体の圧縮、膨張により歩くたびに浮遊感が生じ、また階段の登り降りが快適に行える。さらに歩くたびに弾性体の収縮、膨張作用により、靴の中の空気の流通が起こるため、靴の中が好気的雰囲気となるので足の蒸れを防止することもできる。
【発明を実施するための最良の形態】
【０００５】  次に本発明を詳細に説明する。
本発明の弾性体の素材としては、ゴム海綿、合成樹脂発砲体、軟質合成樹脂等が挙げられる。本発明の弾性体におけるスポンジ状とは、独立気孔からなるものではなく、ある程度連結した気孔を有するものである。このようなスポンジ状弾性体は、外部から圧力をかけることによって、圧縮されると共に気孔中の空気が抜ける。また圧力を開放するとスポンジ状の弾性体が膨張し、スポンジ状弾性体中に空気が取り込まれる。またボール状とは、ゴム、軟質合成樹脂で成型された球体の中に空気を充填した、いわゆる軟式テニスボール等の形態をなしたものを云う。【０００６】  本発明のスポンジ状弾性体の形状としては、球形、ゴルフボール形、楕円形（ラグビーボール形）、六角柱形、四角柱形、五角柱形、海鞘形、多面コブ形等の形状が挙げられる。弾性体の大きさは０．５〜３５ｃｍ３、好ましくは１．８〜８．１ｃｍ３のものが好適である。【０００７】  またスポンジ状弾性体には目的に応じて、例えば消臭剤、脱臭剤、滅菌剤、殺菌剤、芳香剤、水虫薬等の医薬品を含浸・混入させたり、塗布することが好ましい。【０００８】  本発明のスポンジ状またはボール状弾性体の使用方法としては、靴の下の中に入れたり、靴の中に入れて履いたりして、足裏および足の側面のツボに当たるようにすれば疾病の予防および治療効果が得られると共に、前記したような種々の効果が得られるので、歩行意欲、運動意欲、活動意欲が生まれるようになる。
またスリッパ、サンダル、靴の下敷等に接着剤、粘着テープ、バンソウコウ等により接着、付着させて使用することができる。
(57)【要約】【課題】メモ用紙等のカードを入れられ、かつ滑り止めにもなる、可搬型情報端末に取り付けるためのカード入れを提供すること。【解決手段】可搬型情報端末に取り付けるためのカード入れであって、カード入れの片面にカード入れ自体を可搬型情報端末に接着するための接着手段を備える。【選択図】図１
2008043676.tif 000002
【特許請求の範囲】
【請求項１】
可搬型情報端末に取り付けるためのカード入れであって、
前記カード入れ自体を前記可搬型情報端末に接着するための接着手段を備えることを特徴とするカード入れ。
【請求項２】
滑り止め手段をさらに備えることを特徴とする請求項１記載のカード入れ。
【請求項３】
前記接着手段は両面テープであることを特徴とする請求項１または２記載のカード入れ。
【請求項４】
請求項１乃至３のいずれか１項に記載のカード入れが取り付けられた可搬型情報端末。
【発明の詳細な説明】
【技術分野】
【０００１】
本発明は、カード入れに関し、特に携帯電話等の可搬型情報端末に取り付けるためのカード入れに関する。
【背景技術】
【０００２】
従来、携帯電話等の可搬型情報端末を使用しているときに、メモを取る必要ができたときは、近くにあるメモ用紙や鞄から取り出した手帳等にメモをしていた。
しかしながら、外出中は手帳等のメモ用紙を持っていなかったり、周りの状況により、すぐに手帳等を取り出せなかったりして、不便であった。
【０００３】
また、近年の携帯電話等の可搬型情報端末は小型になっており、本体はプラスチックで滑らかにできていることから、滑りやすく落としやすかった。
特許文献１には、定期券等のカードを入れるためのカード入れが記載されている。
【特許文献１】特開平４−２８２１０１号公報
【発明の開示】
【発明が解決しようとする課題】
【０００４】
本発明の課題は、メモ用紙等のカードを入れられ、かつ滑り止めにもなる、可搬型情報端末に取り付けるためのカード入れを提供することである。
【課題を解決するための手段】
【０００５】
本発明の一態様によれば、本発明のカード入れは、可搬型情報端末に取り付けるためのカード入れであって、前記カード入れ自体を前記可搬型情報端末に接着するための接着手段を備える。
【０００６】
また、本発明のカード入れは、滑り止め手段をさらに備えることが望ましい。
また、本発明のカード入れは、接着手段が両面テープであることが望ましい。
【発明の効果】
【０００７】
本発明によれば、携帯電話等の可搬型情報端末を使用中にメモ用紙が必要となった場合、可搬型情報端末に取り付けられたカード入れにメモ用紙があるため、すぐに取り出すことができ、メモ用紙を探す必要がなくなる。
【０００８】
また、可搬型情報端末に取り付けられたカード入れは滑り止めになるため、可搬型情報端末がポケット等から飛び出して落とす可能性が低くなる。
【発明を実施するための最良の形態】
【０００９】
以下、図面を参照しながら本発明の実施の形態を説明する。
図１は、本発明の実施の形態のカード入れの斜視図である。
図２は、本発明の実施の形態のカード入れを示す図であり、（ａ）は正面図、（ｂ）は背面図、（ｃ）は平面図である。
【００１０】
本発明の実施の形態のカード入れ１０１は、二枚の矩形のシート１０２、１０３の三つの縁辺を接着させ、一辺が開口した口部１０４を備える扁平状のカード入れである。
カード入れは、口部１０４からカード１０６を出し入れすることができる。
【００１１】
口部１０４の中央付近には、中に入れたカード１０６を取り出しやすいように、切り欠き部１０５が設けられている。
なお、カード入れの形状は矩形に限られず、口部を持ち、カードを出し入れすることができれば任意の形状でよい。
【００１２】
カード入れの素材として、ゴム、シリコン、ウレタン、または表面に凹凸のあるしわ状クレープ紙等の滑りにくい素材を用いたり、カード入れの表面に凹凸を設けて滑りにくくしたりすることで、カード入れが滑り止め手段を備えてもよい。
【００１３】
カード入れの片面を構成するシート１０３には、接着手段として両面テープ２０１が取り付けられ、これにより携帯電話、ＰＨＳ等の可搬型情報端末に接着することができる。接着手段としては、接着剤を塗布しておくなど、カード入れを可搬型情報端末に取り付けることができれば、任意のものを使用できる。
【００１４】
図３は、本発明の実施の形態のカード入れを取り付けた携帯電話の斜視図である。
図３に示すように、例えば折り畳み型の携帯電話３０１に本発明の実施の形態のカード入れ１０１を取り付けた場合、携帯電話３０１の外面に取り付けられる。
【００１５】
カード入れには、メモ用紙、シートレンズ、プリペイドカード等のカード１０６が入れられる。
メモ用紙を入れておくと、例えば携帯電話の使用中にメモが必要となった場合、携帯電話に取り付けられたカード入れにメモ用紙があるため、すぐに取り出すことができ、メモ用紙を探す必要がなくなり便利である。
【００１６】
現在、人々は携帯電話を日常的に持ち歩いており、シートレンズを入れておけば、外出中に小さくて読みにくい文字があったときでも、カード入れからシートレンズを取り出して簡単に読むことができる。
【００１７】
また、携帯電話を胸ポケット等に入れておくと、携帯電話の表面が滑らかなため、走ったときや前かがみになったときに携帯電話が胸ポケット等から飛び出して落ちてしまうことがある。携帯電話にカード入れを取り付けておくと、カード入れ自体またはカード入れの縁と携帯電話との段差が滑り止めとなり、携帯電話を落としにくくなるという効果もある。また、カード入れの素材として、ゴム、シリコン、ウレタン、または表面に凹凸のあるしわ状クレープ紙等の滑りにくい素材を用いたり、カード入れの表面に凹凸を設けて滑りにくくしたりすることで、さらに滑り止めの効果が高くなる。
【図面の簡単な説明】
【００１８】
【図１】本発明の実施の形態のカード入れの斜視図である。
【図２】本発明の実施の形態のカード入れを示す図であり、（ａ）は正面図、（ｂ）は背面図、（ｃ）は平面図である。
【図３】本発明の実施の形態のカード入れを取り付けた携帯電話の斜視図である。
【符号の説明】
【００１９】
１０１    カード入れ
１０２、１０３    シート
１０４    口部
１０５  切り欠き部
１０６  カード
２０１  両面テープ
３０１  携帯電話
【図１】
2008043676.tif 000003
【図２】
2008043676.tif 000004
【図３】
2008043676.tif 000005
(57)【要約】【課題】解決しようとする課題は、亀頭冠部の露出度を増大させることにより、勃起時の性行為の際における男女双方の快感を増進させるほか、たるんだ包皮をペニスに固定し仮性包茎を矯正することができる器具の開発である。【解決手段】プラスチック等の加工しやすい非伸縮性の素材を使用し、断面が半円形状の幅数ミリ程度のリング１を作製して、リングの内径をフック部２により自在に調整して固定できる装置を有するペニス用リングを提供する。【選択図】図１
2008043569.tif 000002
【特許請求の範囲】
【請求項１】
プラスチック等非伸縮性の材料を使用し、内径が調節でき且つ薄い素材に加工したリングをペニスの亀頭部直下に装着することによって、亀頭部を大きく露出させるとともに、たるんだ包皮を保持する効果を持たせたリング
【発明の詳細な説明】
【技術分野】
【０００１】
本発明は、亀頭部を大きく露出させ又は仮性包茎を矯正するため、ペニスのたるんだ包皮を引っ張り、亀頭部下のくびれ付近にペニス用リングを装着し、やや締め付けるように内径を調節した上で固定することにより、勃起時には、リングの締め付け作用により亀頭部を形よく大きく露出させて亀頭冠部を張り出させるとともに、たるんだ包皮を保持する効果を持たせたリングに関するもの。
【背景技術】
【０００２】
従来のペニスに係る包茎矯正器具、勃起時の補助器具等は、器具自体が大きいか又は器具の装着が不自然なものが多く、使用した時にどうしても違和感がつきまとっていた。
本発明のペニス用リングは、これらの問題点を解決し、違和感がなく常時装着した状態で使用することが可能であり、亀頭部を形よく大きく露出させるとともに、仮性包茎を矯正する器具を提供するものである  
【０００３】
従来の問題を解決するため、プラスチック等の軽量で加工が容易な素材を使用し、数ミリ程度の幅で断面が半円状になる円形リング１に加工し、リングが二重に重なるフック部２においてリングの上側をスライドしながら内径を任意に調節した上で固定できるように、下側のリングの外周にやや斜めの切れ込み３を入れ、上側のリングの内周に下側のリングの切れ込みにぴたりと収まるフック４を備え付けたペニス用リングを考案したものである。
本リングは、ペニスの勃起時に内側からの圧力が加わることにより一層外れにくくなり、性行為の際の強い力にも十分耐えられる器具とした。また、非伸縮性のため、ペニスのくびれ付近がリングで圧迫されることにより、勃起時には充血した亀頭部が一段と増大し膨張して露出した状態になり、亀頭冠部の刺激により男女双方の快感が増進するほか、常時装着することにより、たるんだ包皮を保持することができるため、仮性包茎の矯正に効果的な器具である。
【発明の開示】
【発明が解決しようとする課題】
【０００４】
解決しようとする課題は、亀頭冠部の露出度を増大させることにより、勃起時の性行為の際において男女双方の快感を増進させるとともに、たるんだ包皮をペニスに固定し仮性包茎を矯正することができる器具の開発である。
【課題を解決するための手段】
【０００５】
プラスチック等の加工しやすい非伸縮性の素材を使用し、断面が半円形状の幅数ミリ程度のリング１を作製して、リングの内径をフック部２により自在に調整して固定できる装置を有するペニス用リングを提供するものである。
【発明の効果】
【０００６】
本リングをペニスに装着することにより、性行為の際には、亀頭冠部の露出度を増大させ男女双方の快感を増進できるほか、通常時に、たるんだ包皮をペニスに固定することによって仮性包茎の矯正を図ることができる。また、常時装着ができ、亀頭に適度の刺激があるため、自己のペニスに対する意識とともに自信が高まり、年配者にとっては、青春時代の新鮮な味わいが体験できる。
【発明を実施するための最良の形態】
【０００７】
非伸縮性の透明プラスチック等の素材を使用することによって、内径を自在に調整できるリングを作製し、通常時のペニスに装着した状態でリングが外れないようを軽く締め付けて固定できるようにした。また、装着していることが解らないように、幅を数ミリ程度にしてごく軽量で薄く、勃起時に耐えられる強度を持たせるため断面を半円形状に加工したペニス用リングである。
【図面の簡単な説明】
【０００８】
【図１】実施例の斜視図
【図２】実施例の正面図
【図３】実施例の側面図
【図４】Ａ−Ｂ断面図
【図５】フック部拡大図
【図６】フック部下側リングの拡大図
【図７】装着図
【符号の説明】
【０００９】
１  リング
２  フック部
３  切り込み
４  フック
５  リングの上側（フック側）
６  リングの下側（切り込み側）
７  ペニス
８  亀頭冠部
【図１】
2008043569.tif 000003
【図２】
2008043569.tif 000004
【図３】
2008043569.tif 000005
【図４】
2008043569.tif 000006
【図５】
2008043569.tif 000007
【図６】
2008043569.tif 000008
【図７】
2008043569.tif 000009
(57)【要約】【課題】  ロールホルダーに取り付けたロールペーパーを衛生的に確実に切り取れるようにする。【解決手段】  幅方向に亘って切取り用のミシン目が形成されているロールペーバーにおいて、ミシン目の途中に切断線で囲まれて繰出し方向に突出する舌片が形成されていることを特徴とするロールペーパー。【選択図】  図１
2008043533.tif 000002
【特許請求の範囲】
【請求項１】
幅方向に亘って切取り用のミシン目が形成されているロールペーバーにおいて、ミシン目の途中に切断線で囲まれて繰出し方向に突出する舌片が形成されていることを特徴とするロールペーパー。
【請求項２】
舌片がＶ字形又はＵ字形をしている請求項１のロールペーパー。
【発明の詳細な説明】
【技術分野】
【０００１】
本発明は、トイレットペーパー、キッチンペーパー或いは手拭きペーパーのように一定幅のペーパーをロールに巻いたロールペーパーに関するものである。
【背景技術】
【０００２】
ロールペーパーはロールホルダーに回転自在に装架されるが、いざ使用しようとするときには、切り端がカッターを兼ねるカバーに隠れていることが多い。加えて、切り端は残りのペーパーにくっついていてなかなか分離し難い。このため、ペーパーを手でくるくる回して切り端を探して離すことになり、非常に不衛生である。また、この操作をするときにはカバーをはぐらなければならず、子供、老人、障害者にとっては非常な負担を強いられる。
【０００３】
このため、適当間隔ごとに幅方向に亘るミシン目を形成したものもあるが、このミシン目もカバーの端で切りとるため、切りとった後のミシン目がカバーの中に隠れ、上記と同じような操作をしなければならない。そこで、下記特許文献１には、ミシン目の部分をペーパーの端で繰出し方向に突出する斜めに形成してこれを取り端としたものがあるが、この取り端はカバーから外れているため、ミシン目どおりに切断できるかどうかは疑問である。また、端についているから、引っ張ったときに捩れたりすることもある。
【０００４】
なお、ロールペーパーの切り端をカバーから引き出して両端を中に折り込んで真ん中部分をＶ字形に残したりすることもあるが、この操作をするためには手でペーパーに触らなければならず、不衛生な点では変わらないことから、これを嫌う者はけっこういる。また、面倒な操作を常に強いられることになり、家庭用等の設備では無理である。
【特許文献１】特開平８−８４６８５号公報
【発明の開示】
【発明が解決しようとする課題】
【０００５】
本発明は、このような課題を解決するものであり、要するに、取り端をペーパーから離して確実に残せるようにしたものである。
【課題を解決するための手段】
【０００６】
以上の課題の下、本発明は、請求項１に記載した、幅方向に亘って切取り用のミシン目が形成されているロールペーバーにおいて、ミシン目の途中に切断線で囲まれて繰出し方向に突出する舌片が形成されていることを特徴とするロールペーパーを提供するとともに、これにおいて、請求項２に記載した、舌片がＶ字形又はＵ字形をしている手段を提供したものである。
【発明の効果】
【０００７】
本発明によると、舌片は繰出し方向に突出していて切断線で囲まれているから、切取りに力は要せず、確実にその姿をとどめている。そして、舌片は先端が細いから、切取りによる力によって残りのペーパーから分離してカバーの下方に垂れ下がった状態になる。また、ミシン目の長さは相対的に短くなるから、軽い力で正確に早く切断できる。
【発明を実施するための最良の形態】
【０００８】
以下、本発明の実施の形態を図面を参照して説明する。図１は本発明のロールペーパーの斜視図、図２はロールホルダーに取り付けた状態の斜視図であるが、ロールペーパー自体は従来のものと変わらない。すなわち、巻芯１にペーパー２をロール状に巻いたものである。そして、適当間隔ごとに切取り用のミシン目３が長さ方向に対して直角に形成されている。
【０００９】
本発明では、このミシン目３の途中（幅方向の真ん中が好ましい）に繰出し方向に突出する舌片４を形成したものであり、この舌片４の周囲を切断線５で囲んだものである。このロールペーパーをロールホルダー６に取り付け、そのカバー７の端でミシン目３の部分を切り取ると、ミシン目３はカバー７の端に沿っているが、舌片４はその周囲を切断線５で囲まれているから（ミシン目３のようなものではない）、切取りに力は要せず、確実にその形をとどめた状態で残る。なお、ミシン目３がカバー７の端から出た状態で切り取られることもあるが、この場合でも、舌片４の周囲は切断線５で囲まれて切取りに力は要しないから、確実にその形をとどめている。
【００１０】
加えて、この切取りの力によって（切り取るときには残りのペーパーから離す方向に引っ張るから）残った舌片４は残りのペーパー２から分離された状態になり、カバー７から垂れ下がった状態になっている。したがって、この舌片４が取り端となり、次の使用者はここを持ってペーパー２を引き出すことができる。この場合の舌片４としては、どんな形状をしていてもよいが、一般的には、Ｖ字やＵ字のものが考えられ、矩形や半円形をしたものであってもよい。特に、Ｖ字形をしたものは、先端が細いから、残りのペーパー２からの分離が確実である。
【００１１】
ところで、ペーパー２にこの舌片４を形成するには、ミシン目３を形成するカッターに舌片４の形状を加えておくことで、ミシン目３と同時に形成できることになり、大してコストアップにならない。
【図面の簡単な説明】
【００１２】
【図１】本発明のロールペーパーの斜視図である。
【図２】本発明のロールペーパーをロールホルダーに取り付けた斜視図である。
【符号の説明】
【００１３】
１      巻芯
２      ペーパー
３      ミシン目
４      舌片
５      切断線
６      ロールホルダー
７      カバー
【図１】
2008043533.tif 000003
【図２】
2008043533.tif 000004
(57)【要約】      （修正有）【課題】組み立てる事により１つの絵、写真を完成させる。又は、組み立てるという行為を目的とした従来のパズルとは違った効果、用途のパズルを提供する。【解決手段】木の質感をそのまま生かし加工、塗装する。また、１つのピースを文字、文章の書き込める大きさとする。そして、場合に応じて記念写真や日付けをプリントする。また、場合に応じてピースの形（デザイン）を変える。【選択図】図１
2008043717.tif 000002
【特許請求の範囲】
【請求項１】
木の質感をいかした、１つのピースを文字や文章を書き込める大きさである事を特徴とするジグソーパズル
【発明の詳細な説明】
【技術分野】
【０００１】本発明はジグソーパズルに関するものであり、素材を木材、１つのピースを文字、文章の書き込める大きさにする事により、ジグソーパズルの用途を多様な物とするものである。
【背景技術】
【０００２】従来のパズルは紙製のパズルに写真をプリント、又は絵をプリントし、パズルを組み立てる事を目的とした物である。木製のパズルもあるが、それも同目的である
【特許文献１】特開２００３−２３６２２９号公報
【発明の開示】
【発明が解決しょうとする課題】
【０００３】従来のパズルは１度組み立ててしまうと目的ははたされ写真と同じような存在、もしくは組み立てる事のみが目的である物が多く、それ以外の用途は望めないとゆう事を課題とする。
【課題を解決するための手段】
【０００４】木の質感を活かす事でインテリア性の向上。１つのピースを大きくし、文章を書き込む事で寄せ書き効果。またさらに写真や、日付けをプリントする事でよりいっそうのオリジナリティー。
【発明の効果】
【０００５】本発明を、結婚式や卒業式、誕生日などで使用する事により、その時の思い出の最良の保存方法として、従来のジグソーパズルには無い効果を発生できる。
【発明を実施するための最良の形態】
【０００６】図１のようにフタ（カバー）を設けるとパズルの倒壊はふせげる。また文字を書き込む事により詳細に思い出を保存。
【実施例】
【０００７】図１のようにピースごとに文章などを書いてもらい。それを組み立てて、インテリアとして飾る。図２のようにフタを設けない場合は接着剤などではりつけ、倒壊をふせぐ
【産業上の利用可能性】
【０００８】結婚式場での演出の１つとして利用可能、卒業式などの記念品としても利用可能。又、多様な記念日にも利用ができる。
【図面の簡単な説明】
【０００９】
【図１】フタを設けた木製パズル図
【図２】フタを設けないフレームだけの木製パズル図
【図１】
2008043717.tif 000003
【図２】
2008043717.tif 000004
(57)【要約】【課題】従来、急須により茶を入れた際の残り茶には茶の葉が浸されているために余分の成分が抽出され風味を損なうのが常であった。  そこで、茶葉からの成分の抽出を防止する必要がある。【解決手段】  本考案は、給湯口１に引っ掛かる構造の網籠２内に茶の葉を入れ、急須を直立させるための底３を使って机等の台に載せ茶の葉を湯に浸して茶を入れ、残り茶の保管には他の底４を使って台に載せて急須を傾斜させれば、網籠内の茶は残り茶より分離して上に上がり、余分の茶の成分流出を防げて常に風味の良い茶を楽しむことが出来る。  網籠内の茶の残り茶からの分離は、底面１つの急須を傾斜した急須台に載せて急須を傾斜させて行うことができる。又、網籠に変えてティーバッグで行うこともできる。【選択図】図１
2008043715.tif 000002
【特許請求の範囲】
【請求項１】
給湯口に引っ掛かる網籠を備えた急須であって、その急須は急須が直立状態とやや斜めの状態とに各安定的に保持しうるように二面の底を持って形成されると共に、直立状態に保たれたときには網籠の底がそのとき急須が保たれている底部の近くに達しており、やや斜めの状態に保たれたときには網籠の底がそのとき急須が保たれている底部より離れた上部に保たれる構造となっていることを特徴とする急須。
【請求項２】
給湯口に引っ掛かる網籠を備えた急須であって、その急須には急須がやや斜めの状態に保たれるように形成された急須台が付属しており、急須が普通の直立状態に保たれたときには網籠の底が急須の底部の近くに達しており、やや斜めの状態に保たれたときには網籠の底がそのとき急須が保たれている最下部より離れた上部に保たれる構造となっていることを特徴とする急須
【請求項３】
給湯口に引っ掛かる保持具を備えた急須であって、その急須は急須が直立状態とやや斜めの状態とに各安定的に保持しうるように二面の底を持って形成されると共に、直立状態に保たれたときには保持具の底がそのとき急須が保たれている底部の近くに達しており、やや斜めの状態に保たれたときには保持具の底がそのとき急須が保たれている底部より離れた上部に保たれる構造となっていることを特徴とする急須。
【請求項４】
給湯口に引っ掛かる保持具を備えた急須であって、その急須には急須がやや斜めの状態に保たれるように形成された急須台が付属しており、急須が普通の直立状態に保たれたときには保持具の底が急須の底部の近くに達しており、やや斜めの状態に保たれたときには保持具の底がそのとき急須が保たれている最下部より離れた上部に保たれる構造となっていることを特徴とする急須
【発明の詳細な説明】
【技術分野】
【０００１】  本発明は、連続してお茶を楽しむとき茶の葉を茶の湯より引き揚げて最適な渋味、風味のあるお茶を常に楽しむことが出来ることに関する。
【背景技術】
【０００２】  従来、最適な渋み、風味を保つ急須として、急須の内部を２分し、茶の葉溜め部と液留め部に分けるもの（例えば特許文献１参照）、傾斜をつけた急須台を用い急須を傾けて茶葉を残り茶から分離しようとするもの（例えば特許文献２参照）がある。【０００３】
【特許文献１】  実用新案公開平５−８４２６３号公報
【特許文献２】  登録実用新案３０６７８６２号公報
【発明の開示】
【発明が解決しようとする課題】
【０００４】  急須の内部を２分する方法では葉溜め部の茶の葉の交換が容易でなく、且つ構造上急須の傾け方が極端であることを要し、現に特許文献１では９０度の変化を要している。
急須を傾けて茶葉を残り茶から分離しようとする方法については、残り茶に混ざっている茶葉だけを移動させることは難しい作業である。
【課題を解決するための手段】
【０００５】  本発明においては、湯の給湯口に引っ掛ける構造を持つ網籠又はティーパック保持具を使用して茶の葉をコンパクトに保つことにより少しの傾きで茶の葉と残り茶の分離を図ろうとするものである。
【発明の効果】
【０００６】    本発明は網籠の中へ茶の葉を入れることによって網籠と共に茶の葉が移動し、急須を  傾けると残り茶から分離することが出来る。
又、網籠を取り出すことにより茶葉の入れ替えが容易である。
なお、この網籠をティーバッグ保持具に変えることによりティーバッグ等の透過性袋  による茶の抽出に使用することが出来る。
【発明を実施するための最良の形態】
【０００７】  発明の実施の形態を実施例に基づき図面を参照して説明する。
図１において、給湯口１に引っ掛ける構造を持つ網籠２に茶の葉を入れ、急須の底３を机等の台の上に載せて急須を保つ状態で給湯口１より湯を注ぐ。
そうすると、湯の表面はＡ−Ｂ線となり、網籠２の中の茶の葉が浸され、頃合を見計らって注ぎ口５より茶碗へ茶を注ぐ。
次に急須の底４を台の上に載せて急須を保つ状態とすると、残り茶の表面はＣ−Ｄ線となり残り茶は網籠２内にある茶の葉から分離される。【０００８】  図３において、給湯口に引っ掛ける構造を持つ網籠７内に茶の葉を入れ普通の状態で茶を入れた後に傾斜部分を設けた急須敷８の上に載せると、急須は傾斜して残り茶の表面はＥ−Ｆ線となり残り茶は網籠７内にある茶の葉から分離される。【０００９】  図４において、給湯口１に引っ掛ける構造を持つ保持具９に茶の葉入りのティーパック１０を入れ、急須の底３を机等の台の上に載せて急須を保つ状態で給湯口１より湯を注ぐ。
そうすると、湯の表面はＧ−Ｈ線となり、ティーパック１０の中の茶の葉が浸され、頃合を見計らって茶碗へ茶を注ぐ。
次に急須の底４を台の上に載せて急須を保つ状態とすると、残り茶の表面はＩ−Ｊ線となり残り茶はティーバッグ１０内にある茶の葉から分離される。【０００１０】  図５において、給湯口に引っ掛ける構造を持つ保持具９に茶の葉入りティーバッグ１０を入れ普通の状態で茶を入れた後に傾斜部分を設けた急須敷８の上に載せると、急須は傾斜して残り茶の表面はＫ−Ｌ線となり残り茶はティーバック１０内にある茶の葉から分離される。【０００１１】  このようにして残り茶は茶の葉から分離されているために風味が保たれ、最適な渋味のある茶を常に楽しむことが出来る。
【図面の簡単な説明】
【００１２】
【図１】本発明の２つの底を持つ急須の断面図
【図２】本発明の２つの底を持つ急須の斜視図
【図３】傾斜面を設けた急須敷を使用した状態の断面図
【図４】２つの底を持つ急須の断面図（ティーバック用の保持具付）
【図５】傾斜面を設けた急須敷を使用した状態の断面図（ティーバック用の保持具付）
【符号の説明】
【００１３】１    ２つの底を持つ急須の給湯口
２    ２つの底を持つ急須の網籠
３    急須を直立させる際の急須の底
４    急須を傾ける状態のときの急須の底
５    注ぎ口
６    急須敷を使用する急須の給湯口
７    急須敷を使用する急須の網籠
８    傾斜面を設けた急須敷
９    保持具
１０  ティーバッグ
【図１】
2008043715.tif 000003
【図２】
2008043715.tif 000004
【図３】
2008043715.tif 000005
【図４】
2008043715.tif 000006
【図５】
2008043715.tif 000007
(57)【要約】【課題】  従来のシヤワー器具では開閉する際、反復操作する必要があり、指の不自由な人には容易でなく不便であった。【解決手段】  本発明のシヤワ器具は、開閉の際きき指で一方に回すだで開閉できることでだれでも容易に操作できる。又、構造が簡単で複雑な構造による故障も少なくすむのもであり、大小にかかわらず弁の製造も可能である。【選択図】図１
2008043714.tif 000002
【特許請求の範囲】
【請求項１】
シヤワー器具の手元で一方に回すだけで開閉できることを特徴とするシヤワー器具。
【請求項２】
球体の弁が水圧で微小に動いて開閉することを特徴とする請求項１記載のシヤワー器具装置の弁。
【発明の詳細な説明】
【技術分野】
【０００１】  本発明は、シヤワー器の握る部分で反復操作しずに開閉できるシヤワー器具に関するもの。
【背景技術】
【０００２】  従来のシヤワー器具は、握る部分で開閉することはできるが反復操作をする必要があり、指の不自由な人には不便であった。
【発明の開示】
【発明が解決しようとする課題】
【０００３】  これはつぎのような問題点があった。
シヤワー器具を開閉するには反復操作をしなくてはならず、指の不自由な人には不便であった。
【課題を解決するための手段】
【０００４】  本発明は、上述の課題を解決するために球体型の弁を設けることにより一方に廻す操作するだけで開閉できる、シヤワー器具を提供するものである。
【発明の効果】
【０００５】  左右どちらの手にもって操作するにも一方に回すだけで開閉することができる、又構造が簡単であり修理が容易である。【０００６】  球体型の弁を設けることにより構造が簡単であるから複雑な構造による故障も少なく経費の負担も少なくすむものである。【０００７】  構造が簡単なため、大小の開閉装置の製造が容易である。
【発明を実施するための最良の形態】
【０００８】イ．シヤワー器具本体（１）ａに弁座（１３）、パツキン（４）ｃに弁（７）を一体化して、シヤワー器具本体（１）ｂに取付ける。
ロ．シヤワー器具本体（１）ａとシヤワー器具（１）ｂとの間に、パツキン（４）ａとワツシヤー（４）ｂを入れて連結金具（５）でシヤワー器具本体（１）ｂと連結取付る。
ハ．シヤワー器具本体（１）ｃと弁座（１３）にパツキン（４）ａを入れて連結取付る。
ニ．弁（７）にパツキン（４）Ｄを入れてハンドル（２）をピン（１２）で取付け、水圧で弁（７）が微小に動き押されて閉る構造である。
以上の構造で成るシヤワー器具である。
【図面の簡単な説明】
【０００９】
【図１】  本発明の斜視図である。
【図２】  本発明の組立順の斜視図である。
【符号の説明】
【００１０】  １      シヤワー器具本体
２      ハンドル
３      シヤワー金具
４      パツキン
５      連結金具
６      流路
７      弁
８      ホース
９      連結部飾り金具
１０    弁室
１１    ネジ
１２    ピン
１３    弁座
【図１】
2008043714.tif 000003
【図２】
2008043714.tif 000004
(57)【要約】      （修正有）【課題】細かな、ホコリ、花粉、黄砂までも取り除くには水が効率がよく効果的である。【解決手段】保水性に優れたセルローズスポンジに水を含ませ、繊維ネットで水分を誘導し、ウレタン雑巾フイルターに適度に取り込む。水分子のエネルギーとモーターの吸引力との相乗効果で強力な磁石のようにホコリを吸収する。  厚めのウレタンスポンジは無数にある気泡に、納まったホコリの集団が精度を上げて緻密な雑巾フイルターとなってホコリ等を完全に取り除くことになる。  この掃除機を１０数分使用するだけで排気は浄化され室内の空気は、換気したように清々しく快適になる。  通気性に優れたウレタンで吸引力は倍増する。  モーターの負担を軽減する事で電力を節約する事ができる  病院、学校、老人ホーム等の集団生活の場等は特によい。【選択図】図１
2008043723.tif 000002
【特許請求の範囲】
【請求項１】
一般電気掃除機で
通気性に優れたウレタンスポンジに適度の水分を取り込むことでホコリ、チリ等を完全に取り除く、  緻密で特別なウレタン雑巾フイルターを内臓した電気掃除である。
【発明の詳細な説明】
【技術分野】
【０００１】  ウレタンスポンジフイルターは、通氣性の良いウレタンスポンジを保水性の高いセルローズスポンジで巻き、更にその回りを、麻。木綿糸等の紐繊維ネットで  覆ったものがウレタンスポンジフイルターである。
軽く絞ってホコリを取り、堅く絞って水を拭き取る。（雑巾）
このフイルターに水を介することで特別ウレタン雑巾フイルターとした。【０００２】  特別ウレタン雑巾フイルターは
吸水性、保水性に優れたセルローズスポンジをウレタンスポンジの回りに巻き更に、その回りと、底面を、繊維ネットでまいたウレタンスポンジフイルターを、  ５００ｃｃ位の水の入った器の中に数秒ぐらい浸して、約５０％位の水を吸い込んだところで、取り出し、ウレタンスポンジ押い止輪と、ネットフイルターの鍔を合わせて、ゴムパッキンで締めて止める。【０００３】  水を貯へたセルローズスポンジから水分は繊維ネットに誘導されて、ウレタンスポンジの底の部分に適度に分配される。
水分子の活動は、外からの力、吸引力との相乗効果で益々活発に活動を続け強力な磁石のようになって次々とゴミ等が重なって吸い取ってゆ行く。
そのゴミ等の塊は、ウレタンスポンジの無数にある気泡のような穴（部屋）に収納される。その部屋に納まったホコリ等の集団は、その後適度に水分を吸収して雑巾フイルターの性能を上げ、緻密な高級フイルターとしてホコリ等を完全に取り除き、更に排気を浄化することになる。
【発明の効果】
【０００４】  ウレタンスポンジは通気性に優れているので吸引力は倍増します、従って掃除は大変しやすく効果的です。  モーターの負担を軽くし、音も静かで滑らかである
最も大切なのは電力の節約である。  安価で廃材同様のウレタンスポンジを雑巾のように何枚でも用意でき、水洗いで何回でも使用できます。１０数分間、掃除機を使用しただけで、室内の空気は換気したように清々しく爽快になります。
使用する水にエタノール等の薬品を混入することで、殺菌消臭等等いろいろできます。
【図面の簡単な説明】
【０００５】
【図１】は  一般電気掃除機の見取り図である。太い数字の１はウレタン雑巾フイルター部である。
【図２】は  ウレタンスポンジフイルターの平面図である。
【図３】は  ウレタンスポンジフイルターの断面図である。図２のＡ−Ａ′で切断した面を表している。
【符号の説明】
【０００６】    イ  は通気性に優れたウレタンスポンジフイルター。
ロ  は吸水性。保水性に優れたセルローズスポンジ。
ハ  は繊維ネット（麻、木綿糸等の紐繊維で水を誘導する働をする。）
ニ  はウレタン押い止輪。
ホ  はゴムパッキン。
ヘ  はネットフイルター（ウレタンフイルターを収納するケース）
ト  は鍔
【図１】
2008043723.tif 000003
【図２】
2008043723.tif 000004
【図３】
2008043723.tif 000005
(57)【要約】      （修正有）【課題】数枚重ねたトイレットペーパーをバラバラにならないようにし、そのまま使えるトイレットペーパーの提供。【解決手段】使いやすい大きさのトイレットペーパーを数枚重ね、バラバラにならない様にカット又はプレスによりまとめたトイレットペーパー。【選択図】図２
2008043701.tif 000002
【特許請求の範囲】
【請求項１】
５から２０枚位重ねたトイレットペーパーを切断時に切断部にかかる圧力等によりバラバラにならない様にまとめ、そのまま使えるトイレットペーパー
【請求項２】
５から２０枚位重ねたトイレットペーパーを数カ所に強い圧力を加えてバラバラにならない様にまとめ、そのまま使えるトイレットペーパー
【請求項３】
５から２０枚位重ねたトイレットペーパーを針の様な物か  細いすじ状の様な物で突っ付き、バラバラにならない様にまとめ、そのまま使えるトイレットペーパー
【請求項４】
５から２０枚位重ねたトイレットペーパーを、一部切断ではなく外周を切断しバラバラにならない様にまとめ、そのまま使えるトイレットペーパー
【請求項５】
請求項１から４までを併用して作った、そのまま使えるトイレットペーパー
【請求項６】
請求項１から５までを１つ１つ完全に切断しないで、一部分軽い力で切り離せる部分を設けて、つないだトイレットペーパー
【発明の詳細な説明】
【技術分野】
【０００１】トイレットペーパー
【背景技術】
【０００２】トイレでトイレットペーパーを使う時、ホルダーの上カバーを片手で持ち上げもう一方の手でペーパーの先端を探し出しつまみ、使い易い長さ引き出し片手でカバーを押さえペーパーを持ち上げカット、それを折り畳み使っていました。
【発明の開示】
【発明が解決しようとする課題】
【０００３】背景技術そのほかの短所をまとめると次の様になります。
○ペーパーをセットする時ペーパーの出る方向を確かめないと使えない。
○先端がわかりずらい。
○先端がつかみずらい。
○カパーでミシン目がわからない。
○引き出したペーパーが長かったり短かったり。
○カットする時押さえが弱いと更に引き出してしまう。
○長く切ったペーパーを思う様に畳めない。
○ホルダー内のペーパーがわかりずらい。
○少なくなると使いにくくなる。
【発明が解決するための手段】
【０００４】使い易い大きさのペーパーを数枚重ね、高熱や接着剤を使わないでバラバラにならない様に切断時の圧力や薄いペーパーを数枚重ね圧力を加えてまとめたトイレットペーパー。
【発明の効果】
【０００５】本発明の物を１つ取り出してそのまま使用するだけで何の問題はありません。
力の弱い考人・体の不自由な人・怪我人・病人・子供達にはとても使い易いトイレットペーパーです。
普通の人は面倒な事はなくもっと使いやすいトイレットペーパーです。
【図面の簡単な説明】
【図１】斜面図    請求項１
【図２】斜面図    請求項２
【図３】斜面図    請求項３
【図４】斜面図    請求項４
【図５】斜面図    請求項５
【図６】斜面図    請求項６
【図１】
2008043701.tif 000003
【図２】
2008043701.tif 000004
【図３】
2008043701.tif 000005
【図４】
2008043701.tif 000006
【図５】
2008043701.tif 000007
【図６】
2008043701.tif 000008
(57)【要約】【課題】  髭剃りに使用するＴ字シェーバー３は、髭剃りの途中で刃の部分が目詰まりして、切れ味が悪くなり、洗浄が必要になるが、水で洗い流すだけでは、十分な洗浄が出来なかった。石鹸のカスや、髭のカスが固まり、Ｔ字シェーバー３の斬り刃の部分に詰まっていた為である。【解決手段】クリーナーブラシ本体１に吸盤２を連結したＴ字シェーバークリーナーブラシにおいて、その吸盤２をお風呂場や洗面所等の壁面に簡単に取り付けられる様に構成した。これにより、使用者は髭剃りの途中で中断すること無く、クリーナーブラシ本体１のブラシ部で、片手のみでＴ字シェーバー３の刃の部分を、きれいに目詰まり無く、洗浄できるため、切れ味も良くなり、快適に髭剃りを行うことができる。【選択図】図１
2008043707.tif 000002
【特許請求の範囲】
【請求項１】
Ｔ字型髭剃りにおいて、Ｖ字型プラスチック板状体の片面に、洗浄用のブラシを固着しており、Ｖ字型プラスチック板状体の他の面に吸盤に取り付けるための連結形状が設けられていることを特徴とする、Ｔ字シェーバークリーナーブラシ。
【請求項２】
該ブラシは、Ｖ字型プラスチック板状体と吸盤とで形成され、Ｖ字型板状体の角度が３０度〜９０度であることを特徴とする請求項１記載のＴ字シェーバークリーナーブラシ。
【発明の詳細な説明】
【技術分野】
【０００１】  本発明は、Ｔ字シェーバー刃の間に詰まった髭カスを、髭剃りの途中に片手で簡単に取り除くことが出来る洗浄用のＴ字シェーバークリーナブラシに関する。
【技術背景】
【０００２】  従来のＴ字型髭剃りの掃除用のブラシは柄の中に、手入れ用のブラシを内蔵したものが提案されている。（例えば、特許文献１参照）
【０００３】
【特許文献１】  実開昭６１−１４９８１
【発明の開示】
【発明が解決しようとする課題】
【０００４】  上記した、いずれの手段においても、髭剃り途中の目詰まりを取り除くために両手を必要とする。ゆえに公知の手段では、刃間に詰まった髭カスを取り除く作業で髭剃りが完全に中断していた。なぜなら、髭を剃る際には、片手でＴ字シェーバーを持ち他の手では石鹸あるいは、シェービングクリームを塗ったり、剃り具合を確かめたりするので、必然的に両手がふさがった状態になる。そこで、この発明により、髭剃りを中断することなくＴ字シェーバーの詰まりを解消し、切れ味の持続を保つことを、目的とする。
【課題を解決するための手段】
【０００５】  そして、本発明は上記の目的を達成する為に、髭剃りの途中に、水道水を流しながら、片手でＴ字シェーバーの刃を、ブラシ部に当て、左右に動かし目詰まりを洗浄できるように、ブラシ付Ｖ字型プラスチック板状体と吸盤との連結で構成したＴ字シェーバークリーナーブラシを、お風呂場や洗面所等の水の出る下側の壁面に簡単に取り付けられるように形成したものである。【０００６】  また、第二発明は、ブラシ部が斜めになるように、取り付け可能になっていることにより、片手でＴ字シェーバーの刃の洗浄作業が行いやすくなり、ブラシについた髭カスや石鹸カスも洗い流しやすい。
【発明の効果】
【０００７】  上述したように本発明のＴ字シェーバークリーナーブラシは、髭剃り途中でも、片手だけでＴ字シェーバーの目詰まりを取り除く洗浄ができ、切れ味の持続を保つことができるので髭剃りを中断することもなくなる。【０００８】  また、Ｔ字シェーバーの刃についた洗浄後の目詰まりカスもブラシ部が斜めになっているため、ブラシの中に残らないように洗い流せる。
【発明を実施するための最良の形態】
【０００９】  以下、本発明の実施の形態を図面に示す実施例に基づいて説明する。【００１０】  図においては、１はクリーナーブラシ本体でＶ字型のプラスチック板状体の片面にブラシを固着してあり、他の面には、吸盤２との連結は可能なように半円状の切りかきを、設けてある。【００１１】  吸盤２には吸着面の後方側にクリーナーブラシ本体１との連結が可能なような溝が設けてある。【００１２】  以下、上記構成の仕様動作を説明する。クリーナーブラシ本体１連結された吸盤２を、風呂場や洗面所等の蛇口下側の壁面に吸盤２の吸着面を貼り付け、水を流しながらＴ字シェーバー３の刃の部分を、ブラシ部に当て左右に動かし洗浄する。【００１３】「実施形態の効果」
この実施形態によれば、クリーナーブラシ本体１のブラシ部が斜めになり、Ｔ字シェーバー３の刃の部分をクリーナーブラシ本体１のブラシ部に当て易く、片手だけでＴ字シェーバー３の髭カスの除去作業が簡単に行えるため、髭剃りを中断すること無く切れ味の持続を保ちながら髭を剃ることが出来る。
【図面の簡単な説明】
【００１４】
【図１】  本発明の実施形態を示す側面図である。
【図２】  同Ｔ字シェーバークリーナーブラシの実施形態を示す斜視図である。
【符号の説明】
【００１５】  １  クリーナーブラシ本体
２  吸盤
３  Ｔ字シェーバー
【図１】
2008043707.tif 000003
【図２】
2008043707.tif 000004